(57)【要約】【課題】１乃至複数のメディアサーバを用いるマルチメディアサービスにおいて、各メディア間でフロア権を同期させるマルチメディア対応フロア権管理システムを提供する。【解決手段】各メディアサービスを提供するメディアサーバ群２０とは別個に、マルチメディア用のフロア権割り当てポリシーを管理するフロア権管理サーバ３０を配備し、メディアサーバ群２０に割り当てるマルチメディア用のフロア権の割り当てポリシーをフロア権割り当てポリシー部３３に蓄積し、フロア権割り当て判断部３２により、各メディアのフロア権を同期させるように制御する。フロア権割り当てポリシー部３３には、メディアサーバ群２０の各メディアサーバに設定済みのポリシーを統合して設定したり、あるいは、端末群１０の任意の端末から、または、プレゼンスサーバ４０などのサーバから、マルチメディア用のポリシーとして入力されることにより設定される。【選択図】図１
2006285494.tif 000002
【特許請求の範囲】
【請求項１】
１乃至複数のメディアサーバとメディア端末との間で、あるいは、１乃至複数の前記メディアサーバを介して異なるメディア端末間で、メディアを送信するための権利としてメディアごとに割り当てられるメディアのフロア権に基づいて、マルチメディア通信用の複数のメディアを送受信する際に、該マルチメディア通信を構成するすべてのメディアに関し、１乃至複数の前記メディアサーバ側または前記メディア端末側のいずれかに、各メディアのフロア権を一括して割り当てる同期化制御が行われ、該同期化制御により、マルチメディア通信用の各メディアのフロア権を一括して割り当てられた前記メディアサーバ側または前記メディア端末側から、該マルチメディアを構成するすべてのメディアの送信が可能となることを特徴とするマルチメディア対応フロア権管理システム。
【請求項２】
１乃至複数のメディアサーバとは異なるフロア権管理サーバを親サーバとして配備して、該フロア権管理サーバが、子サーバに相当する１乃至複数のメディアサーバが提供するメディアごとのフロア権を管理し、同期化する制御を行うことを特徴とする請求項１に記載のマルチメディア対応フロア権管理システム。
【請求項３】
１乃至複数のメディアサーバのうちいずれかのメディアサーバが親サーバとなり、子サーバに位置付けた各メディアサーバがそれぞれ提供するメディアごとのフロア権を管理し、同期化する制御を行うことを特徴とする請求項１に記載のマルチメディア対応フロア権管理システム。
【請求項４】
前記子サーバが、前記親サーバのフロア権制御に追従して、メディアサービスを実行することを特徴とする請求項２または３に記載のマルチメディア対応フロア権管理システム。
【請求項５】
前記メディア端末が、前記親サーバのフロア権制御に基づいて、前記子サーバに対して、所望のメディアの送信を開始することを特徴とする請求項２乃至４のいずれかに記載のマルチメディア対応フロア権管理システム。
【請求項６】
前記親サーバが、前記子サーバに設定されているフロア権割り当てポリシーを統合することにより、マルチメディア用のフロア権割り当てポリシーを設定して、メディアごとのフロア権を管理し、同期化する制御を行うことを特徴とする請求項２乃至５のいずれかに記載のマルチメディア対応フロア権管理システム。
【請求項７】
前記親サーバが、前記子サーバに設定されているフロア権割り当てポリシーを、マルチメディア用のフロア権割り当てポリシーとして統合する場合、各メディアに共通なフロア権割り当てポリシーを設定することを特徴とする請求項６に記載のマルチメディア対応フロア権管理システム。
【請求項８】
前記親サーバが、前記子サーバに設定されているフロア権割り当てポリシーを、マルチメディア用のフロア権割り当てポリシーとして適宜編集して設定して、前記子サーバが提供するメディアごとのフロア権を管理し、同期化する制御を行うことを特徴とする請求項２乃至５のいずれかに記載のマルチメディア対応フロア権管理システム。
【請求項９】
前記親サーバが、前記子サーバに設定されているフロア権割り当てポリシーの有無や如何に依存することなく、マルチメディア用のフロア権割り当てポリシーを新規に設定して、前記子サーバが提供するメディアごとのフロア権を管理し、同期化する制御を行うことを特徴とする請求項２乃至５のいずれかに記載のマルチメディア対応フロア権管理システム。
【請求項１０】
マルチメディア用のフロア権割り当てポリシーを前記親サーバに設定するための入力元として、前記メディア端末から、前記親サーバに対して、該マルチメディア用のフロア権割り当てポリシーを入力することを特徴とする請求項６乃至９のいずれかに記載のマルチメディア対応フロア権管理システム。
【請求項１１】
マルチメディア用のフロア権割り当てポリシーを前記親サーバに設定するための入力元として、メディアサービスを管理するオペレータが操作するオペレータ端末から、前記親サーバに対して、該マルチメディア用のフロア権割り当てポリシーを入力することを特徴とする請求項６乃至９のいずれかに記載のマルチメディア対応フロア権管理システム。
【請求項１２】
マルチメディア用のフロア権割り当てポリシーを前記親サーバに設定するための入力元として、前記子サーバから、あるいは、前記子サーバとは異なる任意のサーバから、前記親サーバに対して、該マルチメディア用のフロア権割り当てポリシーを入力することを特徴とする請求項６乃至９のいずれかに記載のマルチメディア対応フロア権管理システム。
【請求項１３】
前記メディア端末と、前記子サーバおよび／または前記親サーバと、の間に、メディア用のポータルサイトを構成するメディアポータルを配備して、前記メディア端末からの前記子サーバおよび／または前記親サーバへのアクセスが、該メディアポータルを経由して実現されることを特徴とする請求項２乃至１２のいずれかに記載のマルチメディア対応フロア権管理システム。
【請求項１４】
前記メディア端末のプレゼンス情報を少なくとも保有するプレゼンスサーバを配備して、該プレゼンスサーバからの情報を参照して、前記親サーバが、マルチメディア用のフロア権割り当てポリシーを設定することを特徴とする請求項２乃至１３のいずれかに記載のマルチメディア対応フロア権管理システム。
【請求項１５】
当該メディアサーバまたは当該メディアサーバを含む複数のメディアサーバとメディア端末との間で、あるいは、当該メディアサーバまたは当該メディアサーバを含む複数のメディアサーバを介して異なるメディア端末間で、メディアを送信するための権利としてメディアごとに割り当てられるメディアのフロア権に基づいて、マルチメディア通信用の複数のメディアを送受信する際に、当該メディアサーバが対応するメディアを含め、該マルチメディア通信を構成するすべてのメディアに関し、当該メディアサーバ側または当該メディアサーバを含む複数のメディアサーバ側、あるいは、前記メディア端末側のいずれかに、各メディアのフロア権を一括して割り当てる同期化制御が行われ、該同期化制御により、当該メディアサーバ側または当該メディアサーバを含む複数のメディアサーバ側にマルチメディア通信用の各メディアのフロア権が一括して割り当てられた場合、該マルチメディアを構成するすべてのメディアまたは当該メディアサーバが対応するメディアの送信が可能となり、一方、前記メディア端末側にマルチメディア通信用の各メディアのフロア権が一括して割り当てられた場合、該マルチメディアを構成するすべてのメディアまたは当該メディアサーバが対応するメディアの受信が可能となることを特徴とするメディアサーバ。
【請求項１６】
メディアごとのフロア権の制御を司るフロア権管理サーバが親サーバとして配備されて、該フロア権管理サーバにより、メディアごとのフロア権が管理され同期化する制御を受けて子サーバとして動作することを特徴とする請求項１５に記載のメディアサーバ。
【請求項１７】
メディアごとのフロア権の制御を司る手段を親サーバとして備えて、子サーバに位置付けた各メディアサーバがそれぞれ提供するメディアごとのフロア権を管理し、同期化する制御を行うことを特徴とする請求項１５に記載のメディアサーバ。
【請求項１８】
前記親サーバのフロア権制御により、メディアごとのフロア権が管理され同期化する制御を受けて子サーバとして動作することを特徴とする請求項１７に記載のメディアサーバ。
【請求項１９】
前記親サーバが、前記子サーバに設定されているフロア権割り当てポリシーを統合することにより、マルチメディア用のフロア権割り当てポリシーを設定して、メディアごとのフロア権を管理し、同期化する制御を行うことを特徴とする請求項１６乃至１８のいずれかに記載のメディアサーバ。
【請求項２０】
前記親サーバが、前記子サーバに設定されているフロア権割り当てポリシーを、マルチメディア用のフロア権割り当てポリシーとして統合する場合、各メディアに共通なフロア権割り当てポリシーを設定することを特徴とする請求項１９に記載のメディアサーバ。
【請求項２１】
前記親サーバが、前記子サーバに設定されているフロア権割り当てポリシーを、マルチメディア用のフロア権割り当てポリシーとして適宜編集して設定して、前記子サーバが提供するメディアごとのフロア権を管理し、同期化する制御を行うことを特徴とする請求項１６乃至１８のいずれかに記載のメディアサーバ。
【請求項２２】
前記親サーバが、前記子サーバに設定されているフロア権割り当てポリシーの如何に依存することなく、マルチメディア用のフロア権割り当てポリシーを新規に設定して、前記子サーバが提供するメディアごとのフロア権を管理し、同期化する制御を行うことを特徴とする請求項１６乃至１８のいずれかに記載のメディアサーバ。
【請求項２３】
マルチメディア用のフロア権割り当てポリシーを前記親サーバに設定するための入力元として、前記メディア端末から、前記親サーバに対して、該マルチメディア用のフロア権割り当てポリシーを入力することを特徴とする請求項１９乃至２２のいずれかに記載のメディアサーバ。
【請求項２４】
マルチメディア用のフロア権割り当てポリシーを前記親サーバに設定するための入力元として、メディアサービスを管理するオペレータが操作するオペレータ端末から、前記親サーバに対して、該マルチメディア用のフロア権割り当てポリシーを入力することを特徴とする請求項１９乃至２２のいずれかに記載のメディアサーバ。
【請求項２５】
マルチメディア用のフロア権割り当てポリシーを前記親サーバに設定するための入力元として、前記子サーバから、あるいは、前記子サーバとは異なる任意のサーバから、前記親サーバに対して、該マルチメディア用のフロア権割り当てポリシーを入力することを特徴とする請求項１９乃至２２のいずれかに記載のメディアサーバ。
【請求項２６】
前記メディア端末と、前記子サーバおよび／または前記親サーバと、の間に、メディア用のポータルサイトを構成するメディアポータルを配備して、前記メディア端末からの前記子サーバおよび／または前記親サーバへのアクセスが、該メディアポータルを経由して実現されることを特徴とする請求項１６乃至２５のいずれかに記載のメディアサーバ。
【請求項２７】
前記メディア端末のプレゼンス情報を少なくとも保有するプレゼンスサーバを配備して、該プレゼンスサーバからの情報を参照して、前記親サーバが、マルチメディア用のフロア権割り当てポリシーを設定することを特徴とする請求項１６乃至２６のいずれかに記載のメディアサーバ。
【請求項２８】
１乃至複数のメディアサーバと当該メディア端末との間で、あるいは、前記メディアサーバを介して当該メディア端末と異なるメディア端末との間で、メディアを送信するための権利としてメディアごとに割り当てられるメディアのフロア権に基づいて、マルチメディア通信用の複数のメディアを送受信する際に、該マルチメディア通信を構成するすべてのメディアに関し、１乃至複数の前記メディアサーバ側または当該メディア端末側のいずれかに、各メディアのフロア権を一括して割り当てる同期化制御が行われ、該同期化制御により、当該メディア端末側にマルチメディア通信用の各メディアのフロア権が一括して割り当てられた場合、該マルチメディアを構成するすべてのメディアの送信が可能となり、一方、前記メディアサーバ側にマルチメディア通信用の各メディアのフロア権が一括して割り当てられた場合、該マルチメディアを構成するすべてのメディアの受信が可能となることを特徴とするメディア端末。
【請求項２９】
１乃至複数のメディアサーバが提供するメディアごとのフロア権を管理し、同期化する制御を行う親サーバからのフロア権制御に基づいて、子サーバに相当する１乃至複数のメディアサーバに対して所望のメディアの送信を開始することを特徴とする請求項２８に記載のメディア端末。
【請求項３０】
前記親サーバに対して、マルチメディア用のフロア権割り当てポリシーとして、前記子サーバに設定されているフロア権割り当てポリシーをマルチメディア用のフロア権割り当てポリシーとして統合する指示を入力可能とすることを特徴とする請求項２９に記載のメディア端末。
【請求項３１】
前記親サーバに対して、マルチメディア用のフロア権割り当てポリシーとして、各メディアに共通なフロア権割り当てポリシーを入力可能とすることを特徴とする請求項２９に記載のメディア端末。
【請求項３２】
前記親サーバに対して、前記子サーバに設定されているメディアのフロア権割り当てポリシーを、マルチメディア用のフロア権割り当てポリシーとして適宜編集して、入力可能とすることを特徴とする請求項２９に記載のメディア端末。
【請求項３３】
前記親サーバに対して、前記子サーバに設定されているフロア権割り当てポリシーの如何に依存することなく、マルチメディア用のフロア権割り当てポリシーを新規に入力可能とすることを特徴とする請求項２９に記載のメディア端末。
【請求項３４】
前記子サーバおよび／または前記親サーバとの間に配備されたメディア用のポータルサイトとなるメディアポータルを経由して、前記子サーバおよび／または前記親サーバへアクセスすることを特徴とする請求項２８乃至３３のいずれかに記載のメディア端末。
【請求項３５】
１乃至複数のメディアサーバとメディア端末との間、あるいは、１乃至複数の前記メディアサーバを介して異なるメディア端末間で、メディアを送信するための権利としてメディアごとに割り当てられるメディアのフロア権に基づいて、マルチメディア通信用の複数のメディアを送受信する際に、該マルチメディア通信を構成するすべてのメディアに関し、１乃至複数の前記メディアサーバ側または前記メディア端末側のいずれかに、各メディアのフロア権を一括して割り当てる同期化制御が行われ、該同期化制御により、マルチメディア通信用の各メディアのフロア権を一括して割り当てられた前記メディアサーバ側または前記メディア端末側から、該マルチメディアを構成するすべてのメディアの送信が可能となることを特徴とするマルチメディア対応フロア権管理方法。
【請求項３６】
１乃至複数のメディアサーバとは異なるフロア権管理サーバを親サーバとして配備して、該フロア権管理サーバが、子サーバに相当する１乃至複数のメディアサーバが提供するメディアごとのフロア権を管理し、同期化する制御を行うことを特徴とする請求項３５に記載のマルチメディア対応フロア権管理方法。
【請求項３７】
１乃至複数のメディアサーバのうちいずれかのメディアサーバが親サーバとなり、子サーバに位置付けた各メディアサーバがそれぞれ提供するメディアごとのフロア権を管理し、同期化する制御を行うことを特徴とする請求項３５に記載のマルチメディア対応フロア権管理方法。
【請求項３８】
前記子サーバが、前記親サーバのフロア権制御に追従して、メディアサービスを実行することを特徴とする請求項３６または３７に記載のマルチメディア対応フロア権管理方法。
【請求項３９】
前記メディア端末が、前記親サーバのフロア権制御に基づいて、前記子サーバに対して、所望のメディアの送信を開始することを特徴とする請求項３６乃至３８のいずれかに記載のマルチメディア対応フロア権管理方法。
【請求項４０】
前記親サーバが、前記子サーバに設定されているフロア権割り当てポリシーを統合することにより、マルチメディア用のフロア権割り当てポリシーを設定して、メディアごとのフロア権を管理し、同期化する制御を行うことを特徴とする請求項３６乃至３９のいずれかに記載のマルチメディア対応フロア権管理方法。
【請求項４１】
前記親サーバが、前記子サーバに設定されているフロア権割り当てポリシーを、マルチメディア用のフロア権割り当てポリシーとして統合する場合、各メディアに共通なフロア権割り当てポリシーを設定することを特徴とする請求項４０に記載のマルチメディア対応フロア権管理方法。
【請求項４２】
前記親サーバが、前記子サーバに設定されているフロア権割り当てポリシーを、マルチメディア用のフロア権割り当てポリシーとして適宜編集して設定して、前記子サーバが提供するメディアごとのフロア権を管理し、同期化する制御を行うことを特徴とする請求項３６乃至３９のいずれかに記載のマルチメディア対応フロア権管理方法。
【請求項４３】
前記親サーバが、前記子サーバに設定されているフロア権割り当てポリシーの如何に依存することなく、マルチメディア用のフロア権割り当てポリシーを新規に設定して、前記子サーバが提供するメディアごとのフロア権を管理し、同期化する制御を行うことを特徴とする請求項３６乃至３９のいずれかに記載のマルチメディア対応フロア権管理方法。
【請求項４４】
マルチメディア用のフロア権割り当てポリシーを前記親サーバに設定するための入力元として、前記メディア端末から、前記親サーバに対して、該マルチメディア用のフロア権割り当てポリシーを入力することを特徴とする請求項４０乃至４３のいずれかに記載のマルチメディア対応フロア権管理方法。
【請求項４５】
マルチメディア用のフロア権割り当てポリシーを前記親サーバに設定するための入力元として、メディアサービスを管理するオペレータが操作するオペレータ端末から、前記親サーバに対して、該マルチメディア用のフロア権割り当てポリシーを入力することを特徴とする請求項４０乃至４３のいずれかに記載のマルチメディア対応フロア権管理方法。
【請求項４６】
マルチメディア用のフロア権割り当てポリシーを前記親サーバに設定するための入力元として、前記子サーバから、あるいは、前記子サーバとは異なる任意のサーバから、前記親サーバに対して、該マルチメディア用のフロア権割り当てポリシーを入力することを特徴とする請求項４０乃至４３のいずれかに記載のマルチメディア対応フロア権管理方法。
【請求項４７】
前記メディア端末と、前記子サーバおよび／または前記親サーバと、の間に、メディア用のポータルサイトを構成するメディアポータルを配備して、前記メディア端末からの前記子サーバおよび／または前記親サーバへのアクセスが、該メディアポータルを経由して実現されることを特徴とする請求項３６乃至４６のいずれかに記載のマルチメディア対応フロア権管理方法。
【請求項４８】
前記メディア端末のプレゼンス情報を少なくとも保有するプレゼンスサーバを配備して、該プレゼンスサーバからの情報を参照して、前記親サーバが、マルチメディア用のフロア権割り当てポリシーを設定することを特徴とする請求項３６乃至４７のいずれかに記載のマルチメディア対応フロア権管理方法。
【請求項４９】
請求項３５乃至４８のいずれかに記載のマルチメディア対応フロア権管理方法を、コンピュータにより実行可能なプログラムとして実現することを特徴とするマルチメディア対応フロア権管理プログラム。
【請求項５０】
請求項４９に記載のマルチメディア対応フロア権管理プログラムを、コンピュータにより読み取り可能な記録媒体に記録することを特徴とするプログラム記録媒体。
【発明の詳細な説明】
【技術分野】
【０００１】
本発明は、マルチメディア対応フロア権管理システム、管理方法、管理プログラム及びプログラム記録媒体、メディアサーバ及び端末に関し、特に、１乃至複数のメディアサーバが提供する各メディアのフロア権を管理して同期制御することを可能とするマルチメディア対応フロア権管理システム、管理方法、管理プログラム及びプログラム記録媒体、メディアサーバ及び端末に関する。
【０００２】
ここで、メディアサーバとは、何らかのメディアに関するサービスを提供するサーバもしくは該メディアを管理制御するサーバであり、例としては、テレビ電話サービスを提供するＴＶ電話サーバ、携帯電話上の音声チャットサービスを提供するＰｏＣ（Push to Talk over Cellular）サーバ、描画画面の表示サービスを提供するWhite Boardサーバ、インスタントメッセージサービスを提供するＩＭ（Instant Message）サーバなどが挙げられる。
【０００３】
また、フロア権とは、通信メディアを通して音声で発言する権利もしくはデータ送信する権利もしくはアプリケーションを操作する権利など、メディアを送信する権利を指す。フロア権の他の表現としては、発言権、送信権、操作権、フロアなどとも称する。
【背景技術】
【０００４】
現在、携帯電話上の音声チャットサービスを提供するＰｏＣ（Push to talk over Cellular）通信サービスが普及しつつあるが、ＰｏＣ通信は、トランシーバ型の半二重通信サービスであり、発言者が専用ボタンを操作することにより、連絡したい相手又はグループに対して音声を届けることができる。ここで、ＰｏＣ通信では、同時に通信可能な端末数が限られており、フロア権を管理して割り当てることにより発言者を決定する。セッションに同時に参加可能な端末数が多くなればなるほど、このような同時に通信可能な端末数を制限することにメリットがある。
【０００５】
また、ＰｏＣ以外の半二重通信メディア、もしくは単独では全二重通信であって、フロア権管理をしていないメディアであっても、ＰｏＣと組み合わせてマルチメディアでサービスを提供するときには、各メディアに共通なフロア権を管理／制御することが望まれる場合がある。この種のシステムは、例えば、特許文献１に開示されている。
【特許文献１】特開２００１−７５９２２（第４、５頁、図１）
【０００６】
更に、マルチメディア用として各メディアで設定されるフロア権割り当てポリシーは、各メディアに共通な場合に限るだけではなく、全く新たなポリシーが望まれる場合や、既存の各メディアのフロア権割り当てポリシーを統合したり、あるいは、任意に編集したりして、ポリシー付けすることが望まれる場合もある。
【発明の開示】
【発明が解決しようとする課題】
【０００７】
しかしながら、従来の技術では、次の課題がある。
１乃至複数のメディアサーバを用いるマルチメディア通信セッションにおいては、フロア権を各メディア間で同期させるものが存在していなかった。言い換えると、各メディアサーバに設定されている各メディアのフロア権割り当てポリシーをマルチメディア用として統合して、メディアごとのフロア権を同期させるように、フロア権の割り当てポリシーを書き換えるもしくは構築する手段を有していなかった。即ち、従来の技術では、次のような課題が存在していた。
【０００８】
第１の課題は、複数のメディアを合わせてフロア権を同期させたマルチメディアサービスを提供することができなかったという点にある。各メディアが、フロア権を管理するメディアであるか、フロア権を管理しないメディアであるかに関わらず、各メディアを統合したマルチメディアサービスでは、各メディアのフロア権を管理し、各メディアに対して同期化したフロア権を提供することが有効である。
【０００９】
第２の課題は、各メディアにはフロア権を割り当てるためのポリシーが存在するが、マルチメディア用として各メディアのフロア権ポリシーが異なるときにそれらのポリシーを統合して共通化する機能がなかったという点にある。各メディアを統合するマルチメディアサービスでは、マルチメディア用としての各メディアのフロア権ポリシーが異なっている場合にはそれらのポリシーを統合する際に共通化することが必要である。
【００１０】
第３の課題は、各メディアにはフロア権を割り当てるためのポリシーが存在するが、マルチメディア用として各メディアを統合するときにそれらのポリシーに関係なく新たなポリシーを設定したり、あるいは、それらのポリシーを適宜組み合わせたり編集したりして、マルチメディア用のポリシーを作成する機能がなかったという点にある。各メディアを統合するマルチメディアサービスでは、マルチメディア用としてのフロア権の割り当てポリシーを新たに入力可能としたり、既設のポリシーを組み合わせたり編集したりして変更可能としたりすることも必要である。
【００１１】
本発明の目的は、以上のような課題を解決することにあり、特に、既に配備済みのメディアサーバであっても、１乃至複数のメディアサーバから各メディアごとのフロア権を同期化したマルチメディアサービスを提供可能とすること、そして、その実現のために、同期化したフロア権を割り当てるフロア権割り当てポリシーを設定可能とすることにある。
【課題を解決するための手段】
【００１２】
前述の課題を解決するため、本発明によるマルチメディア対応フロア権管理システム、方法、プログラム及び記録媒体、メディアサーバ及び端末は、次のような特徴的な構成を採用している。
【００１３】
（１）１乃至複数のメディアサーバと端末との間で、あるいは、１乃至複数の前記メディアサーバを介して異なるメディア端末間で、メディアを送信するための権利としてメディアごとに割り当てられるメディアのフロア権に基づいて、マルチメディア通信用の複数のメディアを送受信する際に、該マルチメディア通信を構成するすべてのメディアに関し、１乃至複数の前記メディアサーバ側または前記メディア端末側のいずれかに、各メディアのフロア権を一括して割り当てる同期化制御が行われ、該同期化制御により、マルチメディア通信用の各メディアのフロア権を一括して割り当てられた前記メディアサーバ側または前記メディア端末側から、該マルチメディアを構成するすべてのメディアの送信が可能となるマルチメディア対応フロア権管理システム。
（２）１乃至複数のメディアサーバとは異なるフロア権管理サーバを親サーバとして配備して、該フロア権管理サーバが、子サーバに相当する１乃至複数のメディアサーバが提供するメディアごとのフロア権を管理し、同期化する制御を行う上記（１）のマルチメディア対応フロア権管理システム。
（３）１乃至複数のメディアサーバのうちいずれかのメディアサーバが親サーバとなり、子サーバに位置付けた各メディアサーバがそれぞれ提供するメディアごとのフロア権を管理し、同期化する制御を行う上記（１）のマルチメディア対応フロア権管理システム。
（４）前記子サーバが、前記親サーバのフロア権制御に追従して、メディアサービスを実行する上記（２）または（３）のマルチメディア対応フロア権管理システム。
（５）前記メディア端末が、前記親サーバのフロア権制御に基づいて、前記子サーバに対して、所望のメディアの送信を開始する上記（２）乃至（４）のいずれかのマルチメディア対応フロア権管理システム。
（６）前記親サーバが、前記子サーバに設定されているフロア権割り当てポリシーを統合することにより、マルチメディア用のフロア権割り当てポリシーを設定して、メディアごとのフロア権を管理し、同期化する制御を行う上記（２）乃至（５）のいずれかのマルチメディア対応フロア権管理システム。
（７）前記親サーバが、前記子サーバに設定されているフロア権割り当てポリシーを、マルチメディア用のフロア権割り当てポリシーとして統合する場合、各メディアに共通なフロア権割り当てポリシーを設定する上記（６）のマルチメディア対応フロア権管理システム。
（８）前記親サーバが、前記子サーバに設定されているフロア権割り当てポリシーを、マルチメディア用のフロア権割り当てポリシーとして適宜編集して設定して、前記子サーバが提供するメディアごとのフロア権を管理し、同期化する制御を行う上記（２）乃至（５）のいずれかのマルチメディア対応フロア権管理システム。
（９）前記親サーバが、前記子サーバに設定されているフロア権割り当てポリシーの如何に依存することなく、マルチメディア用のフロア権割り当てポリシーを新規に設定して、前記子サーバが提供するメディアごとのフロア権を管理し、同期化する制御を行う上記（２）乃至（５）のいずれかのマルチメディア対応フロア権管理システム。
（１０）マルチメディア用のフロア権割り当てポリシーを前記親サーバに設定するための入力元として、前記メディア端末から、前記親サーバに対して、該マルチメディア用のフロア権割り当てポリシーを入力する上記（６）乃至（９）のいずれかのマルチメディア対応フロア権管理システム。
（１１）マルチメディア用のフロア権割り当てポリシーを前記親サーバに設定するための入力元として、メディアサービスを管理するオペレータが操作するオペレータ端末から、前記親サーバに対して、該マルチメディア用のフロア権割り当てポリシーを入力する上記（６）乃至（９）のいずれかのマルチメディア対応フロア権管理システム。
（１２）マルチメディア用のフロア権割り当てポリシーを前記親サーバに設定するための入力元として、前記子サーバから、あるいは、前記子サーバとは異なる任意のサーバから、前記親サーバに対して、該マルチメディア用のフロア権割り当てポリシーを入力する上記（６）乃至（９）のいずれかのマルチメディア対応フロア権管理システム。
（１３）前記メディア端末と、前記子サーバおよび／または前記親サーバと、の間に、メディア用のポータルサイトを構成するメディアポータルを配備して、前記メディア端末からの前記子サーバおよび／または前記親サーバへのアクセスが、該メディアポータルを経由して実現される上記（２）乃至（１２）のいずれかのマルチメディア対応フロア権管理システム。
（１４）前記メディア端末のプレゼンス情報を少なくとも保有するプレゼンスサーバを配備して、該プレゼンスサーバからの情報を参照して、前記親サーバが、マルチメディア用のフロア権割り当てポリシーを設定する上記（２）乃至（１３）のいずれかのマルチメディア対応フロア権管理システム。
（１５）当該メディアサーバまたは当該メディアサーバを含む複数のメディアサーバとメディア端末との間で、あるいは、当該メディアサーバまたは当該メディアサーバを含む複数のメディアサーバを介して異なるメディア端末間で、メディアを送信するための権利としてメディアごとに割り当てられるメディアのフロア権に基づいて、マルチメディア通信用の複数のメディアを送受信する際に、当該メディアサーバが対応するメディアを含め、該マルチメディア通信を構成するすべてのメディアに関し、当該メディアサーバ側または当該メディアサーバを含む複数のメディアサーバ側、あるいは、前記メディア端末側のいずれかに、各メディアのフロア権を一括して割り当てる同期化制御が行われ、該同期化制御により、当該メディアサーバ側または当該メディアサーバを含む複数のメディアサーバ側にマルチメディア通信用の各メディアのフロア権が一括して割り当てられた場合、該マルチメディアを構成するすべてのメディアまたは当該メディアサーバが対応するメディアの送信が可能となり、一方、前記メディア端末側にマルチメディア通信用の各メディアのフロア権が一括して割り当てられた場合、該マルチメディアを構成するすべてのメディアまたは当該メディアサーバが対応するメディアの受信が可能となるメディアサーバ。
（１６）メディアごとのフロア権の制御を司るフロア権管理サーバが親サーバとして配備されて、該フロア権管理サーバにより、メディアごとのフロア権が管理され同期化する制御を受けて子サーバとして動作する上記（１５）のメディアサーバ。
（１７）メディアごとのフロア権の制御を司る手段を親サーバとして備えて、子サーバに位置付けた各メディアサーバがそれぞれ提供するメディアごとのフロア権を管理し、同期化する制御を行う上記（１５）のメディアサーバ。
（１８）前記親サーバのフロア権制御により、メディアごとのフロア権が管理され同期化する制御を受けて子サーバとして動作する上記（１７）のメディアサーバ。
（１９）前記親サーバが、前記子サーバに設定されているフロア権割り当てポリシーを統合することにより、マルチメディア用のフロア権割り当てポリシーを設定して、メディアごとのフロア権を管理し、同期化する制御を行う上記（１６）乃至（１８）のいずれかのメディアサーバ。
（２０）前記親サーバが、前記子サーバに設定されているフロア権割り当てポリシーを、マルチメディア用のフロア権割り当てポリシーとして統合する場合、各メディアに共通なフロア権割り当てポリシーを設定する上記（１９）のメディアサーバ。
（２１）前記親サーバが、前記子サーバに設定されているフロア権割り当てポリシーを、マルチメディア用のフロア権割り当てポリシーとして適宜編集して設定して、前記子サーバが提供するメディアごとのフロア権を管理し、同期化する制御を行う上記（１６）乃至（１８）のいずれかのメディアサーバ。
（２２）前記親サーバが、前記子サーバに設定されているフロア権割り当てポリシーの如何に依存することなく、マルチメディア用のフロア権割り当てポリシーを新規に設定して、前記子サーバが提供するメディアごとのフロア権を管理し、同期化する制御を行う上記（１６）乃至（１８）のいずれかのメディアサーバ。
（２３）マルチメディア用のフロア権割り当てポリシーを前記親サーバに設定するための入力元として、前記メディア端末から、前記親サーバに対して、該マルチメディア用のフロア権割り当てポリシーを入力する上記（１９）乃至（２２）のいずれかのメディアサーバ。
（２４）マルチメディア用のフロア権割り当てポリシーを前記親サーバに設定するための入力元として、メディアサービスを管理するオペレータが操作するオペレータ端末から、前記親サーバに対して、該マルチメディア用のフロア権割り当てポリシーを入力する上記（１９）乃至（２２）のいずれかのメディアサーバ。
（２５）マルチメディア用のフロア権割り当てポリシーを前記親サーバに設定するための入力元として、前記子サーバから、あるいは、前記子サーバとは異なる任意のサーバから、前記親サーバに対して、該マルチメディア用のフロア権割り当てポリシーを入力する上記（１９）乃至（２２）のいずれかのメディアサーバ。
（２６）前記メディア端末と、前記子サーバおよび／または前記親サーバと、の間に、メディア用のポータルサイトを構成するメディアポータルを配備して、前記メディア端末からの前記子サーバおよび／または前記親サーバへのアクセスが、該メディアポータルを経由して実現される上記（１６）乃至（２５）のいずれかのメディアサーバ。
（２７）前記メディア端末のプレゼンス情報を少なくとも保有するプレゼンスサーバを配備して、該プレゼンスサーバからの情報を参照して、前記親サーバが、マルチメディア用のフロア権割り当てポリシーを設定する上記（１６）乃至（２６）のいずれかのメディアサーバ。
（２８）１乃至複数のメディアサーバと当該メディア端末との間で、あるいは、前記メディアサーバを介して当該メディア端末と異なるメディア端末との間で、メディアを送信するための権利としてメディアごとに割り当てられるメディアのフロア権に基づいて、マルチメディア通信用の複数のメディアを送受信する際に、該マルチメディア通信を構成するすべてのメディアに関し、１乃至複数の前記メディアサーバ側または当該メディア端末側のいずれかに、各メディアのフロア権を一括して割り当てる同期化制御が行われ、該同期化制御により、当該メディア端末側にマルチメディア通信用の各メディアのフロア権が一括して割り当てられた場合、該マルチメディアを構成するすべてのメディアの送信が可能となり、一方、前記メディアサーバ側にマルチメディア通信用の各メディアのフロア権が一括して割り当てられた場合、該マルチメディアを構成するすべてのメディアの受信が可能となるメディア端末。
（２９）１乃至複数のメディアサーバが提供するメディアごとのフロア権を管理し、同期化する制御を行う親サーバからのフロア権制御に基づいて、子サーバに相当する１乃至複数のメディアサーバに対して所望のメディアの送信を開始する上記（２８）のメディア端末。
（３０）前記親サーバに対して、マルチメディア用のフロア権割り当てポリシーとして、前記子サーバに設定されているフロア権割り当てポリシーをマルチメディア用のフロア権割り当てポリシーとして統合する指示を入力可能とする上記（２９）のメディア端末。
（３１）前記親サーバに対して、マルチメディア用のフロア権割り当てポリシーとして、各メディアに共通なフロア権割り当てポリシーを入力可能とする上記（２９）のメディア端末。
（３２）前記親サーバに対して、前記子サーバに設定されているメディアのフロア権割り当てポリシーを、マルチメディア用のフロア権割り当てポリシーとして適宜編集して、入力可能とする上記（２９）のメディア端末。
（３３）前記親サーバに対して、前記子サーバに設定されているフロア権割り当てポリシーの如何に依存することなく、マルチメディア用のフロア権割り当てポリシーを新規に入力可能とする上記（２９）のメディア端末。
（３４）前記子サーバおよび／または前記親サーバとの間に配備されたメディア用のポータルサイトとなるメディアポータルを経由して、前記子サーバおよび／または前記親サーバへアクセスする上記（２８）乃至（３３）のいずれかのメディア端末。
（３５）１乃至複数のメディアサーバと端末との間、あるいは、１乃至複数の前記メディアサーバを介して異なるメディア端末間で、メディアを送信するための権利としてメディアごとに割り当てられるメディアのフロア権に基づいて、マルチメディア通信用の複数のメディアを送受信する際に、該マルチメディア通信を構成するすべてのメディアに関し、１乃至複数の前記メディアサーバ側または前記メディア端末側のいずれかに、各メディアのフロア権を一括して割り当てる同期化制御が行われ、該同期化制御により、マルチメディア通信用の各メディアのフロア権を一括して割り当てられた前記メディアサーバ側または前記メディア端末側から、該マルチメディアを構成するすべてのメディアの送信が可能となるマルチメディア対応フロア権管理方法。
（３６）１乃至複数のメディアサーバとは異なるフロア権管理サーバを親サーバとして配備して、該フロア権管理サーバが、子サーバに相当する１乃至複数のメディアサーバが提供するメディアごとのフロア権を管理し、同期化する制御を行う上記（３５）のマルチメディア対応フロア権管理方法。
（３７）１乃至複数のメディアサーバのうちいずれかのメディアサーバが親サーバとなり、子サーバに位置付けた各メディアサーバがそれぞれ提供するメディアごとのフロア権を管理し、同期化する制御を行う上記（３５）のマルチメディア対応フロア権管理方法。
（３８）前記子サーバが、前記親サーバのフロア権制御に追従して、メディアサービスを実行する上記（３６）または（３７）のマルチメディア対応フロア権管理方法。
（３９）前記メディア端末が、前記親サーバのフロア権制御に基づいて、前記子サーバに対して、所望のメディアの送信を開始する上記（３６）乃至（３８）のいずれかのマルチメディア対応フロア権管理方法。
（４０）前記親サーバが、前記子サーバに設定されているフロア権割り当てポリシーを統合することにより、マルチメディア用のフロア権割り当てポリシーを設定して、メディアごとのフロア権を管理し、同期化する制御を行う上記（３６）乃至（３９）のいずれかのマルチメディア対応フロア権管理方法。
（４１）前記親サーバが、前記子サーバに設定されているフロア権割り当てポリシーを、マルチメディア用のフロア権割り当てポリシーとして統合する場合、各メディアに共通なフロア権割り当てポリシーを設定する上記（４０）のマルチメディア対応フロア権管理方法。
（４２）前記親サーバが、前記子サーバに設定されているフロア権割り当てポリシーを、マルチメディア用のフロア権割り当てポリシーとして適宜編集して設定して、前記子サーバが提供するメディアごとのフロア権を管理し、同期化する制御を行う上記（３６）乃至（３９）のいずれかのマルチメディア対応フロア権管理方法。
（４３）前記親サーバが、前記子サーバに設定されているフロア権割り当てポリシーの如何に依存することなく、マルチメディア用のフロア権割り当てポリシーを新規に設定して、前記子サーバが提供するメディアごとのフロア権を管理し、同期化する制御を行う上記（３６）乃至（３９）のいずれかのマルチメディア対応フロア権管理方法。
（４４）マルチメディア用のフロア権割り当てポリシーを前記親サーバに設定するための入力元として、前記メディア端末から、前記親サーバに対して、該マルチメディア用のフロア権割り当てポリシーを入力する上記（４０）乃至（４３）のいずれかのマルチメディア対応フロア権管理方法。
（４５）マルチメディア用のフロア権割り当てポリシーを前記親サーバに設定するための入力元として、メディアサービスを管理するオペレータが操作するオペレータ端末から、前記親サーバに対して、該マルチメディア用のフロア権割り当てポリシーを入力する上記（４０）乃至（４３）のいずれかのマルチメディア対応フロア権管理方法。
（４６）マルチメディア用のフロア権割り当てポリシーを前記親サーバに設定するための入力元として、前記子サーバから、あるいは、前記子サーバとは異なる任意のサーバから、前記親サーバに対して、該マルチメディア用のフロア権割り当てポリシーを入力する上記（４０）乃至（４３）のいずれかのマルチメディア対応フロア権管理方法。
（４７）前記メディア端末と、前記子サーバおよび／または前記親サーバと、の間に、メディア用のポータルサイトを構成するメディアポータルを配備して、前記メディア端末からの前記子サーバおよび／または前記親サーバへのアクセスが、該メディアポータルを経由して実現される上記（３６）乃至（４６）のいずれかのマルチメディア対応フロア権管理方法。
（４８）前記メディア端末のプレゼンス情報を少なくとも保有するプレゼンスサーバを配備して、該プレゼンスサーバからの情報を参照して、前記親サーバが、マルチメディア用のフロア権割り当てポリシーを設定する上記（３６）乃至（４７）のいずれかのマルチメディア対応フロア権管理方法。
（４９）上記（３５）乃至（４８）のいずれかのマルチメディア対応フロア権管理方法を、コンピュータにより実行可能なプログラムとして実現するマルチメディア対応フロア権管理プログラム。
（５０）上記（４９）のマルチメディア対応フロア権管理プログラムを、コンピュータにより読み取り可能な記録媒体に記録するプログラム記録媒体。
【発明の効果】
【００１４】
本発明によれば、以下のような効果を得ることができる。
【００１５】
第１の効果は、１乃至複数のメディアサーバが提供する各メディアのフロア権を親サーバとして一括管理するフロア権管理サーバを配備したり、あるいは、いずれかのメディアサーバがすべてのメディアサーバの各メディアのフロア権を親サーバとして一括管理することにより、複数のメディア毎に異なっていたフロア権管理を統合し、同期したフロア権割り当てを効果的に提供することを可能とし、もって、マルチメディアサービス時において、各メディアサーバが提供するメディア間で同期したフロア権を付与することが可能になることにある。
【００１６】
第２の効果は、各メディアサーバに既に設定されている各メディアに関するフロア権割り当てポリシーを統合したり、あるいは、各メディアのフロア権割り当てポリシーを共通化するように各メディア間のポリシーを統合するポリシーを、マルチメディア用ポリシーとして入力し、その入力されたポリシーに合わせて各メディアに対して同期化したフロア権を割り当てることができることにある。
【００１７】
第３の効果は、各メディアサーバに既に設定されている各メディアに関するフロア権割り当てポリシーを統合してマルチメディア通信用のフロア権割り当てポリシーとして設定可能とするのみならず、各メディアサーバに既に設定されている各メディアに関するフロア権割り当てポリシーとは別個に、メディア端末あるいはオペレータ端末あるいはメディアサーバやプレゼンスサーバなどの他のサーバから、新規にあるいは既設定のポリシーを編集し直して、マルチメディア用のフロア権割り当てポリシーとして入力し、その入力されたポリシーに合わせて各メディアに対して同期化したフロア権を割り当てることができることにある。
【実施例】
【００１８】
以下、本発明によるマルチメディア対応フロア権管理システム、管理方法、管理プログラム及びプログラム記録媒体、メディアサーバ及び端末の好適実施例について添付図を参照して説明する。なお、以下の説明においては、本発明によるマルチメディア対応フロア権管理システムの一実施形態について説明することとする。該マルチメディア対応フロア権管理システムに関する説明から、マルチメディア対応フロア権管理システムを構成するメディアサーバや端末に関する本発明の実施の形態や、マルチメディア対応フロア権管理システムを実現するマルチメディア対応フロア権管理方法に関する本発明の実施の形態についても、容易に想到することが可能であり、さらには、該マルチメディア対応フロア権管理方法をコンピュータにより実行可能なプログラムとして実現するマルチメディア対応フロア権管理プログラム、該マルチメディア対応フロア権管理プログラムをコンピュータにより読み取り可能なプログラム記録媒体に記録することも容易に理解できるので、これらに関するさらなる説明は省略することとする。
【００１９】
（システム構成）
図１は、本発明による本発明によるマルチメディア対応フロア権管理システムの一実施形態を示すシステム構成図である。図１に示すマルチメディア対応フロア権管理システムは、複数の端末からなる端末群１と複数のサーバ群からなるサーバ群２とが、図示していないネットワークを介して相互に接続されて構成される。
【００２０】
ここで、サーバ群２は、各メディアサービスを提供するメディアサーバａ２１、メディアサーバｂ２２、メディアサーバｃ２３、…からなるメディアサーバ群２０と、メディアサーバ群２０の各メディアサーバが提供するメディアのフロア権を親サーバとして管理するフロア権管理サーバ３０と、各メディアサーバや各端末などのプレゼンス情報（現在の状態）を管理するプレゼンスサーバ４０と、を少なくとも含んで構成されている。
【００２１】
なお、メディアサーバａ、ｂ、ｃ、…２１、２２、２３、…は、それぞれ、少なくとも一つ以上のメディアを送受信し、管理するサーバであり、フロア権を管理するメディアの場合には、そのメディアにおけるフロア権も管理している。親サーバとしてメディアごとのフロア権を管理するフロア権管理サーバ３０は、子サーバとなる１乃至複数のメディアサーバａ、ｂ、ｃ、…２１、２２、２３、…を用いて、マルチメディアサービスを提供する際に、各メディアサーバのメディアに関し、マルチメディアセッションのフロア権を管理する機能を備えている。また、プレゼンスサーバ４０は、オフライン／オンライン、受信拒否、位置情報などの各メディア端末のプレゼンス情報も保有している。
【００２２】
また、端末機１は、メディアサーバ群２０のいずれか１乃至複数のメディアサーバａ、ｂ、ｃ、…２１、２２、２３、…、を用いたメディアサービスをユーザに対して提供するメディア端末ａ１１、メディア端末ｂ１２、メディア端末ｃ１３、…からなるメディア端末群（すなわちサービス提供端末群）１０と、オペレータがフロア権管理サーバ３０との間でフロア権に関する情報を交換するためのオペレータ端末１５と、を少なくとも含んで構成されている。
【００２３】
なお、メディア端末ａ、ｂ、ｃ、…１１、１２、１３、…は、それぞれ、メディアサーバ群２０の中から選択した１乃至複数のメディアサーバから１乃至複数のメディアサービスの提供を受け付けて、ユーザに対してそのメディアサービスを提示可能としており、ユーザに対してマルチメディアアサービスを提供することができる。また、メディア端末ａ、ｂ、ｃ、…１１、１２、１３、…は、メディアサーバ群２０の各メディアサーバに対して、さらには、フロア権管理サーバ３０に対して、フロア権に関する割り当てポリシーを入力することもできる。
【００２４】
また、オペレータ端末１５は、マルチメディアサービスの管理者であるオペレータが使用する端末であり、フロア権管理サーバ３０に対してフロア権割り当てポリシーを入力することができる。ここで、オペレータ端末１５は、フロア権管理サーバ３０のみならず、他のサーバ（メディアサーバａ、ｂ、ｃ、…２１、２２、２３、…やプレゼンスサーバ４０）との間で情報交換するための端末として利用することも可能である。
【００２５】
また、図１には、フロア権管理サーバ３０の詳細な内部構成が示されている。
セッションＩＤ識別部３１は、メディアサーバ群２０のメディアサーバａ、ｂ、ｃ、…２１、２２、２３、…のいずれかからメディアのフロア権の取得要求などの問い合わせを受けたときに、その問い合わせがどのセッションであるかを識別して、そのセッションＩＤを出力するものである。
【００２６】
フロア権割り当て判断部３２は、セッションＩＤ識別部３１から入力されたセッションＩＤに対するフロア権の割り当てを設定することが可能か否かの判断を行うものである。
【００２７】
また、フロア権割り当てポリシー部３３は、各メディアサーバａ、ｂ、ｃ、…２１、２２、２３、…が提供する各メディアのフロア権を一括管理しているものであり、割り当て判断部３２からセッションＩＤを受け取って、問い合わせのあったセッションに関するフロア権割り当てポリシーをフロア権割り当て判断部３２に引き渡すものである。
【００２８】
フロア権情報管理部３４は、要求された情報の待ち行列情報、過去のフロア権割り当て履歴、現状のフロア権の割り当て内容などを記憶するものである。
【００２９】
ここで、フロア権割り当てポリシー部３３で一括管理している各メディアのフロア権割り当てポリシーは、各メディアサーバａ、ｂ、ｃ、…２１、２２、２３、…に既に設定されている各メディアのフロア権割り当てポリシーをマルチメディア用として統合して設定するものであってもよいし、統合する際に、各メディアに共通なポリシー（例えば、メディアＡとメディアＢとのマルチメディアサービスの場合に、メディアＡのポリシーをメディアＢよりも優先して適用するなど）を設定するものであってもよい。
【００３０】
また、既に設定されている各メディアのフロア権割り当てポリシーを適宜編集して設定するものであってもよいし、既に設定されているフロア割り当てポリシーの如何によらず、全く新規に設定するものであってもよい。さらには、メディア端末ａ、ｂ、ｃ、…１１、１２、１３、…のプレゼンス情報を少なくとも管理しているプレゼンスサーバ４０からの情報を参照して、マルチメディア用のポリシーを設定するようにしてもよい。
【００３１】
また、このフロア権割り当てポリシー部３３で一括管理するフロア権割り当てポリシーは、マルチメディアサービスの管理者であるオペレータが操作するオペレータ端末１５から入力して設定することも可能であるし、あるいは、メディアサービスをユーザに提供するメディア端末ａ、ｂ、ｃ、…１１、１２、１３、…から入力して設定することも可能であるし、あるいは、各メディア端末のプレゼンス情報を管理するプレゼンスサーバ４０や、子サーバとなるメディアサーバａ、ｂ、ｃ、…２１、２２、２３、…などを含む他の任意のサーバから入力して設定することも可能である。
【００３２】
なお、図１に示すマルチメディア対応フロア権管理システムにおいては、１乃至複数のメディアサーバがそれぞれ提供するメディアのフロア権を一括管理して、各メディアのフロア権の同期制御をする親サーバとして、フロア権管理サーバ３０を、各メディアサーバａ、ｂ、ｃ、…２１、２２、２３、…のメディアサーバ群２０とは別個に設置し、子サーバとして位置付けた各メディアサーバａ、ｂ、ｃ、…２１、２２、２３、…が提供する各メディアに割り当てるフロア権を管理し、フロア権の同期化を図る場合を示している。
【００３３】
しかし、フロア権管理サーバ３０が備えているフロア権割り当てに関する機能を、メディアサーバ群２０を構成するメディアサーバａ、ｂ、ｃ、…２１、２２、２３、…、のいずれかのメディアサーバに付与し、該フロア権割り当て機能が付与されたメディアサーバが、フロア権割り当てに関する親サーバとなって、子サーバとして位置付けた各メディアサーバが提供する各メディアのフロア権を一括管理して、各メディアの同期制御をするように構成してもよい。ここで、親サーバとなったメディアサーバ自体もメディアの提供機能を有しており、自メディアサーバのメディアの提供機能を子サーバとして位置付けて、自メディアサーバのメディアに関するフロア権を親サーバ側の機能によって管理可能としている。
【００３４】
さらには、フロア権を特定のサーバで一括管理する代わりに、マルチメディアサービスの開始時に、関連するメディアを提供するメディアサーバ間で、フロア権割り当てポリシーに関する情報を交換し合うことにより、フロア権の同期化を図るように構成してもよい。
【００３５】
いずれのサーバ構成であっても、子サーバとして位置付けられたメディアサーバは、親サーバからのフロア権制御に追従して、各メディア間で同期化された状態でフロア権の割り当てが制御されて、マルチメディアサービスを実現している。また、前述のいずれのサーバ構成であっても、メディア端末ａ、ｂ、ｃ、…１１、１２、１３、…は、親サーバからのフロア権制御に基づいて、フロア権が割り当てられた以降において、子サーバとして位置付けられたメディアサーバのいずれか指定したメディアサーバを用いて、所望のメディアに関する送信動作を開始するように制御されている。
【００３６】
また、端末機１（例えばメディア端末群１０やオペレータ端末１５など）とサーバ群２（例えばメディアサーバ群２０やフロア権管理サーバ３０やプレゼンスサーバ４０）との間、あるいは、サーバ群２０の各サーバ間（例えば、メディアサーバ群２０とフロア権管理サーバ３０との間、メディアサーバ群２０とプレゼンスサーバ４０との間、フロア権管理サーバ３０とプレゼンスサーバ４０との間など）には、図示していないネットワークが介在して、相互に接続するように構成している。さらには、端末群１とサーバ群２との間や、サーバ群２の各サーバ間に、メディア用のポータルサイト（すなわち、各メディアに関する検索手段を具備するサーバ）となるメディアポータルをネットワークを介して配備して、例えばメディア端末群１０のいずれかからメディアサーバ群２０のいずれかのメディアサーバへアクセスする際に、該メディアポータルを経由してアクセスするようにしてもよい。
【００３７】
（動作概要）
次に、図１に示すマルチメディア対応フロア権管理システムの動作を詳細に説明する。図２は、本発明によるマルチメディア対応フロア権管理システムにおける動作のうち、前半部の動作の一実施形態を説明するためのフローチャートであり、図３は、本発明によるマルチメディア対応フロア権管理システムにおける動作のうち、図２に続く後半部の動作の一実施形態を説明するためのフローチャートである。
【００３８】
なお、以下の説明においては、メディアサーバ群２０のうち、例えば、メディアサーバａ２１を携帯電話上の音声チャットサービスを提供するＰｏＣ（Push to Talk over Cellular）サーバ、メディアサーバｂ２２を描画画面の表示サービスを提供するＷＢ（White
Board）サーバ（ホワイトボードサーバ）、メディアサーバｃ２３をインスタントメッセージサービスを提供するＩＭ（Instant Message）サーバであるとする。
【００３９】
ＰｏＣサーバ２１とＷＢサーバ２２とは、それぞれ、単独でそれぞれのメディアのフロア権を有するメディアサーバであり、それぞれのメディアサーバ２１、２２内でフロア権を管理している。また、ＰｏＣサーバ２１でのＰｏＣメディアに関するフロア権割り当てポリシーは、メディア端末群１０のメディア端末ａ、ｂ、ｃ、…１１、１２、１３、…のいずれかからフロア権獲得要求が入力されてきたときに、フロア権がまだどのメディア端末ａ、ｂ、ｃ、…１１、１２、１３、…にも与えられていなければ、フロア権獲得要求元のメディア端末に対してフロア権を割り当てるように設定されているものとする。
【００４０】
一方、ＷＢサーバ２２でのＷＢメディアに関するフロア権割り当てポリシーは、セッションを開始要求した任意のメディア端末例えばメディア端末ａ１１が、まず、フロア権を獲得し、その後、セッションを開始要求したメディア端末ａ１１がＷＢサーバ２２に対してその時々で指定したメディア端末に対してフロア権を割り当てるように設定されているものとする。なお、ＩＭサーバ２３は、単独ではＩＭメディアのフロア権を有していないメディアサーバであるものとする。
【００４１】
また、フロア権管理サーバ３０内のフロア権割り当てポリシー部３３では、フロア権割り当てポリシーをＰｏＣメディア、ＷＢメディアの優先順にフロア権ポリシーを割り当てるようにあらかじめ設定しているものとする。しかし、ＰｏＣとＷＢとのマルチメディアサービスの提供を要求する任意のメディア端末例えばメディア端末ａ１１あるいはオペレータ端末１５が、フロア権割り当てポリシー部３３に対してＷＢメディア、ＰｏＣメディアの順に優先順位を書き換える指示を行うことが可能であり、また、前述したように、あらかじめ設定されているフロア権の割り当てポリシーを削除したり、新規に設定することも可能である。
【００４２】
図２のフローチャートにおいて、まず、ＰｏＣ、ＷＢ、ＩＭの３つのサービスを用いたマルチメディアサービスを享受するセッションを開始しようとするメディア端末ａ１１は、セッションの開始に先立って、フロア権管理サーバ３０のフロア権割り当てポリシー部３３に対して、例えばＷＢメディア、ＰｏＣメディアの順に割り当ての優先順位を書き換えるように指示する（ステップＳ１１Ａ）。該書き換え指示を受け付けたフロア権管理サーバ３０のフロア権割り当てポリシー部３３は、書き換え指示に関する合理性チェックを行い、書き換え指示の実行が可能であると判断した場合、該書き換えを実施し、書き換え後の割り当てポリシーを保存する（ステップＳ２１）。ここで、フロア権管理サーバ３０における合理性チェックとしては、書き換え指示内容に矛盾がないことのみならず、プレゼンスサーバ４０からメディア端末ａ１１のプレゼンス情報などを取得して書き換え指示の送信を認められている状態にあるか否かなどを含むようにしてもよい。
【００４３】
ステップＳ２１による割り当てポリシーの書き換え結果、セッション開始要求をするメディア端末ａ１１がフロア権を割り当てるメディア端末を指定した場合には、指定したメディア端末がフロア権を保有し、メディア端末ａ１１が指定していない場合にはＰｏＣサーバ２１に設定されたＰｏＣメディアに関するポリシーに基づいてフロア権が割り当てられることになる。
【００４４】
フロア権に関するこのような設定を行った後、メディア端末ａ１１が、通信相手として指定したメディア端末ｂ１２、ｃ１３との間で、ＰｏＣサービス、ＷＢサービス、ＩＭサービスサービスの３つのサービスからなる統合マルチメディアサービスのセッション開始要求をするとともに、その旨をフロア権管理サーバ３０に通知する（ステップＳ１２Ａ）。このセッションを「セッションＡ」と呼ぶことにする。フロア権管理サーバ３０は、当該「セッションＡ」に関するすべてのメディアのフロア権を同期化させて、まず、セッション開始要求元のメディア端末ａ１１にフロア権を設定する（ステップＳ２２）。
【００４５】
「セッションＡ」に関する統合マルチメディアサービスのセッション開始要求を受け付けたＰｏＣサーバ２１、ＷＢサーバ２２、ＩＭサーバ２３は、通信相手として指定されたメディア端末ｂ、ｃ１２、１３それぞれに対して該統合マルチメディアサービスのセッション開始要求を送信する（ステップＳ３１）。セッション開始要求を受信したメディア端末ｂ１２、ｃ１３それぞれは、セッション開始が可能であれば、応答信号としてセッション開始が可能な旨を示す「ＯＫ」信号を返送する（ステップＳ１１Ｂ、Ｓ１１Ｃ）。
【００４６】
ＰｏＣサーバ２１、ＷＢサーバ２２、ＩＭサーバ２３は、メディア端末ｂ１２、ｃ１３それぞれから「ＯＫ」信号を受信すると、統合マルチメディアサービス用の「セッションＡ」を開設して、親サーバのフロア権管理サーバ３０からの制御に基づいて、フロア権を、まず、開始要求元のメディア端末ａ１１に設定する（ステップＳ３２）。その後、セッション設定済みを示す「ＯＫ」信号を、フロア権管理サーバ３０とともに、開始要求元のメディア端末ａ１１に返送する。なお、フロア権管理サーバ３０においてセッション開始要求元のメディア端末ａ１１にまずフロア権を設定するステップＳ２２の処理を、ＰｏＣサーバ２１、ＷＢサーバ２２、ＩＭサーバ２３から「ＯＫ」信号を受け取ったこの時点で正式に実行するようにしてもよい。
【００４７】
セッション開始要求元のメディア端末ａ１１は、メディアサーバ（ＰｏＣサーバ２１、ＷＢサーバ２２、ＩＭサーバ２３）からの「ＯＫ」信号を受信することにより（ステップＳ１３Ａ）、メディア端末ａ、ｂ、ｃ…１１、１２、１３…の３メディア端末間で、ＰｏＣサービス、ＷＢサービス、ＩＭサービスサービスのマルチメディアサービスを行う「セッションＡ」のセッション接続がエンド・ツー・エンドで設定される。
【００４８】
「セッションＡ」が設定されると、セッション開始要求をしたメディア端末ａ１１が、まず、フロア権を保有し、ＰｏＣメディアで通話し、ＷＢメディアで描画し、ＩＭメディアでテキストを作成し、などを行い、いずれか１乃至複数の所望のメディア送信を行う（ステップＳ１４Ａ）。対応するメディアサーバ（ＰｏＣサーバ２１、ＷＢサーバ２２、ＩＭサーバ２３）は、メディア端末ａ１１から受信したメディア（音声、画像、テキストなど）を、通信相手のメディア端末ｂ１２、ｃ１３に転送する（ステップＳ３３）。対応するメディアサーバ（ＰｏＣサーバ２１、ＷＢサーバ２２、ＩＭサーバ２３）から転送されてきたメディア（音声、画像、テキストなど）を受信した通信相手のメディア端末ｂ１２、ｃ１３それぞれは、受信メディアの保存や表示や印刷や加工などの処理を行う（ステップＳ１２Ｂ、１２Ｃ）。
【００４９】
次に、送信を終了したメディア端末ａ１１がフロア権を開放する（ステップＳ１５Ａ）。すると、フロア権管理サーバ３０のセッションＩＤ識別部３１が「セッションＡ」におけるフロア権の開放であることを識別し、フロア権割り当て判断部３２に対してその旨を伝達する。フロア権割り当て判断部３２は、「セッションＡ」におけるフロア権を開放した状態に設定するとともに、フロア権を有するすべてのメディアサーバすなわちＰｏＣサーバ２１、ＷＢサーバ２２に対してフロア権を開放するように伝達し、フロア権情報管理部３４にその旨を記録する（ステップＳ２３）。メディア端末ａ１１の「セッションＡ」におけるフロア権の開放を通知されたＰｏＣサーバ２１、ＷＢサーバ２２は、「セッションＡ」におけるメディア端末ａ１１のフロア権を開放する（ステップＳ３４）。
【００５０】
なお、ステップＳ２３やステップＳ３４において、フロア権の開放をフロア権管理サーバ３０やＰｏＣサーバ２１、ＷＢサーバ２２が行った際に、正常にフロア権の開放が完了したことを示す「ＯＫ」信号を、要求元に対して返送するようにしてもよい。
【００５１】
次に、メディア端末ａ１１が、フロア権管理サーバ３０に対してメディア端末ｂ１２にフロア権を保有するように指定する（ステップＳ１６Ａ）。すると、セッションＩＤ識別部３１が、「セッションＡ」に対する指定であることを識別し、フロア権割り当て判断部３２に「セッションＡ」におけるフロア権をメディア端末ｂ１２に割り当てる要求がメディア端末ａ１１からなされた旨を伝達する。
【００５２】
前述のように、このようなフロア権割り当てが、フロア権割り当てポリシー部３３に設定された最優先のポリシーであることから、フロア権割り当て判断部３２は、「セッションＡ」におけるすべてのメディアに関するフロア権をメディア端末ｂ１２が保有することを決定し、フロア権を有するすべてのメディアサーバすなわちＰｏＣサーバ２１、ＷＢサーバ２２に対して伝達し、また、フロア権情報管理部３４にその旨を記録する（ステップＳ２４）。フロア権管理サーバ３０から通知を受け取ったＰｏＣサーバ２１、ＷＢサーバ２２それぞれは、メディア端末ａ１１からフロア権の設定を指定されたメディア端末ｂ１２に「セッションＡ」におけるフロア権を設定する（ステップＳ３５）。
【００５３】
而して、メディア端末ｂ１２が、新しく「セッションＡ」におけるフロア権を保有し、ＰｏＣ、ＷＢ、ＩＭの３つのメディアの送信が可能となる。メディア端末ｂ１２が、ＰｏＣ、ＷＢ、ＩＭのいずれか１乃至複数のメディアの送信を行うと（ステップＳ１４Ａ）、対応するメディアサーバ（ＰｏＣサーバ２１、ＷＢサーバ２２、ＩＭサーバ２３）は、メディア端末ｂ１２から受信したメディア（音声、画像、テキストなど）を、通信相手のメディア端末ａ１１、ｃ１３に転送する（ステップＳ３６）。対応するメディアサーバ（ＰｏＣサーバ２１、ＷＢサーバ２２、ＩＭサーバ２３）から転送されてきたメディア（音声、画像、テキストなど）を受信した通信相手のメディア端末ａ１１、ｃ１３それぞれは、図３には図示していないが、受信メディアの保存や表示や印刷や加工などの処理を行う。
【００５４】
メディア端末ｂ１２のメディア送信が終了すると、メディア端末ｂ１２がフロア権を開放する（ステップＳ１５Ｂ）。すると、フロア権管理サーバ３０のセッションＩＤ識別部３１が「セッションＡ」におけるフロア権の開放であることを識別し、フロア権割り当て判断部３２に対してその旨を伝達する。フロア権割り当て判断部３２は、フロア権を有するすべてのメディアサーバすなわちＰｏＣサーバ２１、ＷＢサーバ２２に対してフロア権を開放するように伝達し、フロア権情報管理部３４にその旨を記録する（ステップＳ２５）。メディア端末ｂ１２の「セッションＡ」におけるフロア権の開放を通知されたＰｏＣサーバ２１、ＷＢサーバ２２は、「セッションＡ」におけるメディア端末ｂ１２のフロア権を開放する（ステップＳ３７）。
【００５５】
なお、ステップＳ２４やステップＳ３５において、フロア権の設定をフロア権管理サーバ３０やＰｏＣサーバ２１、ＷＢサーバ２２が行った際に、正常にフロア権の設定が完了したことを示す「ＯＫ」信号を、要求元に対して返送するようにしてもよいし、さらには、ステップＳ２５やステップＳ３７において、フロア権の開放をフロア権管理サーバ３０やＰｏＣサーバ２１、ＷＢサーバ２２が行った際に、正常にフロア権の開放が完了したことを示す「ＯＫ」信号を、要求元に対して返送するようにしてもよい。
【００５６】
次に、メディア端末ａ１１が、フロア権管理サーバ３０に対してどのメディア端末にもフロア権を保有するように指定しない場合について説明する。メディア端末ａ１１がどのメディア端末にもフロア権を割り当てるような指定をしていないときに、例えばメディア端末ｃ１３が「セッションＡ」におけるフロア権の取得をフロア権管理サーバ３０に対して要求する（ステップ１３Ｃ）。すると、セッションＩＤ識別部３１が、「セッションＡ」に対する指定であることを識別し、フロア権割り当て判断部３２にメディア端末ｃ１３から「セッションＡ」におけるフロア権の取得要求がなされた旨を伝達する。
【００５７】
フロア権割り当て判断部３２は、フロア権割り当てポリシー部３３に設定された最優先のポリシーであるメディア端末ａ１１からの指定がないことを確認した後、取得要求元のメディア端末ｃ１３が「セッションＡ」におけるすべてのメディアに関するフロア権を保有することを決定し、フロア権を有するすべてのメディアサーバすなわちＰｏＣサーバ２１、ＷＢサーバ２２に対して伝達し、また、フロア権情報管理部３４にその旨を記録する（ステップＳ２６）。フロア権管理サーバ３０から通知を受け取ったＰｏＣサーバ２１、ＷＢサーバ２２それぞれは、メディア端末ａ１１からフロア権の設定を指定されたメディア端末ｃ１３に「セッションＡ」におけるフロア権を設定する（ステップＳ３８）。
【００５８】
以降、メディア端末ｃ１３が、「セッションＡ」におけるフロア権を保有し、ＰｏＣ、ＷＢ、ＩＭの３つのメディアの送信が可能となる。メディア端末ｃ１３が、ＰｏＣ、ＷＢ、ＩＭのいずれか１乃至複数のメディアの送信を行うと（ステップＳ１４Ｂ）、対応するメディアサーバ（ＰｏＣサーバ２１、ＷＢサーバ２２、ＩＭサーバ２３）は、メディア端末ｃ１３から受信したメディア（音声、画像、テキストなど）を、通信相手のメディア端末ａ１１、ｂ１２に転送する（ステップＳ３９）。対応するメディアサーバ（ＰｏＣサーバ２１、ＷＢサーバ２２、ＩＭサーバ２３）から転送されてきたメディア（音声、画像、テキストなど）を受信した通信相手のメディア端末ａ１１、ｂ１２それぞれは、図３には図示していないが、受信メディアの保存や表示や印刷や加工などの処理を行う。
【００５９】
メディア端末ｃ１３のメディア送信が終了すると、メディア端末ｃ１３がフロア権を開放する（ステップＳ１５Ｃ）。すると、フロア権管理サーバ３０のセッションＩＤ識別部３１が「セッションＡ」におけるフロア権の開放であることを識別し、フロア権割り当て判断部３２に対してその旨を伝達する。フロア権割り当て判断部３２は、フロア権を有するすべてのメディアサーバすなわちＰｏＣサーバ２１、ＷＢサーバ２２に対してフロア権を開放するように伝達し、フロア権情報管理部３４にその旨を記録する（ステップＳ２７）。メディア端末ｃ１３の「セッションＡ」におけるフロア権の開放を通知されたＰｏＣサーバ２１、ＷＢサーバ２２は、「セッションＡ」におけるメディア端末ｃ１３のフロア権を開放する（ステップＳ４０）。
【００６０】
なお、ステップＳ２６やステップＳ３８において、フロア権の設定をフロア権管理サーバ３０やＰｏＣサーバ２１、ＷＢサーバ２２が行った際に、正常にフロア権の設定が完了したことを示す「ＯＫ」信号を、要求元に対して返送するようにしてもよいし、さらには、ステップＳ２７やステップＳ４０において、フロア権の開放をフロア権管理サーバ３０やＰｏＣサーバ２１、ＷＢサーバ２２が行った際に、正常にフロア権の開放が完了したことを示す「ＯＫ」信号を、要求元に対して返送するようにしてもよい。
【００６１】
以上のようなフロア権管理サーバ３０における親サーバとしてのフロア権の制御により、メディア端末ａ、ｂ、ｃ…１１、１２、１３…間のマルチメディア通信サービスを、各メディア間のフロア権の同期を取りながら実行するが、マルチメディア通信サービスが終了した場合には、「セッションＡ」のセッション開始要求元のメディア端末ａ１１から、セッション終了要求をするとともに、その旨をフロア権管理サーバ３０に通知する（ステップＳ１７Ａ）。
【００６２】
セッション終了要求を受け付けたＰｏＣサーバ２１、ＷＢサーバ２２、ＩＭサーバ２３は、通信相手に指定されたメディア端末ｂ１２、ｃ１３それぞれに「セッションＡ」に関するセッション終了要求を送信する（ステップＳ３４）。セッション終了要求を受信したメディア端末ｂ１２、ｃ１３それぞれは、セッション終了が可能であれば、応答信号としてセッション終了が可能な旨を示す「ＯＫ」信号を返送する（ステップＳ１７Ｂ、Ｓ１７Ｃ）。
【００６３】
ＰｏＣサーバ２１、ＷＢサーバ２２、ＩＭサーバ２３は、メディア端末ｂ１２、ｃ１３それぞれから「ＯＫ」信号を受信すると、マルチメディアサービス用の「セッションＡ」を終了する（ステップＳ４２）。その後、セッション終了済みを示す「ＯＫ」信号を、フロア権管理サーバ３０とともに、終了要求元のメディア端末ａ１１に返送する。フロア権管理サーバ３０は、当該「セッションＡ」に関するセッションを終了状態にし、「セッションＡ」に関するフロア権管理状態を開放し（ステップＳ２８）、メディア端末ａ１１は、セッション終了処理を行う（ステップＳ１８Ａ）。これにより、メディア端末ａ、ｂ、ｃ、…１１、１２、１３…間の統合マルチメディア通信サービス用の「セッションＡ」は完全に終了する。なお、フロア権管理サーバ３０においてセッション終了状態に設定するステップＳ２８の処理を、メディア端末ａ１１からセッション終了要求を受け取った時点で実行するようにしてもよい。
【００６４】
以上、詳細に説明したように、図１に示すフロア権管理サーバ３０は、マルチメディア用のセッションごとにフロア権を同期させたいメディアサーバａ、ｂ、ｃ、…２１、２２、２３、…の各メディアのフロア権を一括して管理して、マルチメディア用として使用されるメディア間で同期させてフロア権を割り当てることを可能としている。ここで、フロア権管理サーバ３０のフロア権割り当てポリシー部３３においては、前述したように、各メディアサーバａ、ｂ、ｃ、…２１、２２、２３、…の割り当てポリシーとメディア端末ａ、ｂ、ｃ、…１１、１２、１３、…あるいはオペレータ端末１５あるいは任意のサーバなどから入力された割り当てポリシーとのいずれかを用いて、マルチメディア用のフロア権割り当てポリシーとして作成し、その結果を保存する。而して、フロア権割り当てポリシー部３３におけるセッション毎の現在のポリシー付けに基づいて、フロア権割り当て判断部３２が１乃至複数のメディアサーバを使用するマルチメディア通信セッションにおける各メディアのフロア権を割り当て、その結果の割り当て状況をフロア権情報管理部３４に記録する。
【００６５】
フロア権管理サーバ３０内のフロア権割り当てポリシー部３３に設定されたフロア権割り当てポリシーに基づいて、マルチメディア通信サービス用のセッションとして、統合される各メディアのフロア権を同期させるように、１乃至複数のメディアサーバａ、ｂ、ｃ、…２１、２２、２３、…に対して対応するメディアのフロア権の割り当てを行う。このフロア権割り当てポリシーとしては、前述のように、各メディアサーバａ、ｂ、ｃ、…２１、２２、２３、…に既に設定されている割り当てポリシーや、各メディア端末ａ、ｂ、ｃ、…１１、１２、１３、…あるいはオペレータ端末１５や任意のサーバなどから入力されたポリシーを総合して設定することができ、前述の実施例のように、例えばＰｏＣ、ＷＢ、ＩＭの３つのメディアで、同期したフロア権を割り当てることができる。
【００６６】
このようにして、本発明における例えばフロア権管理サーバ３０によれば、マルチメディア用として用いる複数のメディアのフロア権を一括管理して同期制御する有効な手段を提供し、フロア権の同期化を図りたいマルチメディア用セッションのフロア権の割り当てを、各メディアサーバに既設定のポリシーやメディア端末あるいはオペレータ端末あるいは他の任意のサーバから入力されたポリシーに基づいて、総合して実施することができる。
【００６７】
なお、本発明は、前述のようなＰｏＣ、ＷＢ、ＩＭのような３つのメディアを統合したマルチメディアサービスのみならず、如何なるメディアを用いる場合であっても適用可能であるし、個々のメディアを提供するメディアサーバにフロア権を保有しているか否かにも関係なく適用することができ、各メディア間でフロア権を同期化させたマルチメディアサービスを提供することができる。
【００６８】
また、例えば、ＰｏＣサーバ２１とＷＢサーバ２２との２つのメディアサービスを用いたセッションの場合、あるいは、ＰｏＣサーバ２１とＩＭサーバ２３との２つのメディアサービスを用いたセッションの場合であってもよいし、テレビ電話サービスを提供するＴＶ電話サーバを用いるなど、前述の実施形態に例示していないメディアサービスを含む、如何なるメディアサービスを提供する場合であっても、本発明を適用することができる。
【００６９】
また、ＰｏＣサーバ２１、ＷＢサーバ２２、ＩＭサーバ２３、ＴＶ電話サーバなどのメディアサーバが、個別にフロア権を保有していても、あるいは、保有していなくてもよい。さらには、メディアサービスを提供するメディアサーバが既に設置済みであっても、新設される場合であっても、フロア権管理サーバ３０との間でフロア権に関する情報の交換が可能であれば、本発明を容易に適用することができる。
【００７０】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００７１】
【図１】本発明によるマルチメディア対応フロア権管理システムの一実施形態を示すシステム構成図である。
【図２】本発明によるマルチメディア対応フロア権管理システムにおける動作のうち、前半部の動作の一実施形態を説明するためのフローチャートである。
【図３】本発明によるマルチメディア対応フロア権管理システムにおける動作のうち、図２に続く後半部の動作の一実施形態を説明するためのフローチャートである。
【符号の説明】
【００７２】
１      端末機
１０    メディア端末群
１１    メディア端末ａ
１２    メディア端末ｂ
１３    メディア端末ｃ
１５    オペレータ端末
２      サーバ群
２０    メディアサーバ群
２１    メディアサーバａ（ＰｏＣサーバ）
２２    メディアサーバｂ（ＷＢサーバ）
２３    メディアサーバｃ（ＩＭサーバ）
３０    フロア権管理サーバ
３１    セッションＩＤ識別部
３２    フロア権割り当て判断部
３３    フロア権割り当てポリシー部
３４    フロア権情報管理部
４０    プレゼンスサーバ
【図１】
2006285494.tif 000003
【図２】
2006285494.tif 000004
【図３】
2006285494.tif 000005